(57)【特許請求の範囲】
【請求項１】
外周に多数のスロットを有する電機子コアと、
この電機子コアを回転可能に支持するシャフトと、
前記電機子コアのスロットに組み込まれた上層及び下層コイル辺と、
一端が前記下層コイル辺の一端に電気的に接続され、前記電機子コアの端面に沿って前記シャフトに対して略垂直で前記シャフトの径方向に延びる下層コイルエンド部と、
一端が前記上層コイル辺の一端に電気的に接続され、前記下層コイルエンド部の外側を前記電機子コアの端面に沿って前記シャフトに対して略垂直で、前記シャフトの径方向に延び、かつ他端が下層コイルエンド部の他端と接続される上層コイルエンド部と、
前記上層及び下層コイル辺に通電するためのブラシとを備えた回転電機において、
前記上層コイルエンド部の軸方向外端面を整流子面として前記ブラシを摺接させるとともに、整流子部である前記上層コイルエンド部の最外径、及び前記整流子面に配置された前記ブラシの摺接面の最外径が、前記上層コイル辺の最外径よりも大であることを特徴とする回転電機。
【請求項２】
前記上層コイル辺の一端と前記上層コイルエンド部の一端との間には、外径側に屈曲する屈曲部が一体に形成されていることを特徴とする請求項１記載の回転電機。
【請求項３】
前記上層コイルエンド部と前記下層コイルエンド部との間には絶縁板が設けられ、かつ前記屈曲部の内周には前記絶縁板の外周と係合する凹部が形成されていることを特徴とする請求項２記載の回転電機。
【請求項４】
前記絶縁部の外周には、前記屈曲部の凹部と係合する凹部が形成されていることを特徴とする請求項３記載の回転電機。
【発明の詳細な説明】
【０００１】
【産業上の利用分野】
本発明は、特に内燃機関始動装置に好適な回転電機に関する。
【０００２】
【従来の技術】
本出願人の出願になる特開平７−２３１６１７号公報は、電機子コイルのコイルエンド部をコアの端面にそって回転軸の径方向内側方向（以下、径内側ともいう）へ延在させ、このコイルエンド部の軸方向外端面をブラシ摺接面（整流面）とした整流子型回転電機の電機子コイル（以下、コイルエンド整流型電機子コイルともいう）を開示している。
【０００３】
このコイルエンド整流型電機子コイルでは、回転軸と直角な方向へ延在するコイルエンド部（径方向延在型コイルエンド部ともいう）が整流子片を兼ねるために、従来の整流子型回転電機の電機子に比べて軸方向長が格段に短縮でき、回転電機の大幅な小型軽量化を実現できる。
【０００４】
【発明が解決しようとする課題】
出力仕様が異なる各種の整流子型回転電機を製造する場合、部品や製造装置の共通化の観点から電機子の軸方向長の変更による出力調整が電機子の径方向長の変更による出力調整よりも断然有利であるが、そうすると、上記コイルエンド整流型電機子コイルを備える回転電機の電機子では、例えば、同じ製造装置で生産し易いように軸方向長だけを増加させて出力を異ならせた（向上させた）電機子を設定した場合、その電機子は軸方向の増大で熱容量は向上するものの、整流子とブラシの摺接面においては径方向の増加ができないためブラシ摺接面積を径方向に拡げて増加できず、これを周方向に拡げるにしても他の部品との位置関係があってそこには自ずと限界がある。このため、この電機子で高出力を得るためにブラシの通電電流を上げれば、ブラシと整流子との摺接面の電流密度は増加してこの部分での発熱が上昇するため、電機子全体の温度上昇が高まり、電機子コイルの電気抵抗が増加して出力を確保できなくなったり、高熱によりブラシの耐久性が低下してしまう可能性がある。
【０００５】
また、このようにブラシ摺接面積が確保できずに通電電流を増加させると電流密度が増加するので、ブラシ摺接面における発熱が増大するとともにその熱を吸収し、隣接する部材や周囲の空気への伝熱、放熱を行う部分の体積及び接触面積も確保できなくなり、電機子コイルの整流子部導体やブラシ自体の内部の高温化が生じ（熱がこもり）、材料の劣化を促進することになる。
【０００６】
言い換えれば、ブラシ摺接面の電流密度は特にブラシ温度に関連して所定の実用限界があるので、上記コイルエンド整流型電機子コイルを持つ整流子型回転電機の出力を向上するには電機子径を増大してブラシ摺接面積の増大を図る他はなく、その体格、特にその径方向長の増大及びそれに起因する電機子慣性質量の増大を招くという問題が有る。このことは、例えばスタータにおいては、噛合時における衝撃を増大させる電機子慣性エネルギーの増大につながってしまう。
【０００７】
また、電機子の主要部分を占める電機子コアの外径が異なるということは、これらの電機子を同一の製造装置で製造することが困難になるという問題もある。
更に、径方向延在型コイルエンド部は、従来のコイルエンド部に比べて軸方向への膨らみが格段に少なく、整流子を電機子コア端面から離して設置する電機子に比べて軸方向長も短いので、その分だけ従来のコイルエンド部に比べて周囲への放熱性に劣り、電気絶縁性の経時劣化の抑止のために電機子コイルの加熱を抑止する対策が重要となる。特にスロット内のコイル導体が加熱して軸方向へ熱膨張すると、径方向延在型のコイルエンド部ではコイルエンド部が軸方向へ変位してしまう可能性が生じるので、その抑止のためにも径方向延在型コイルエンド部を持つ電機子コイルの冷却が重要となる。
【０００８】
本発明は上記問題点に鑑みなされたものであり、電機子コイルエンド部が電機子コアの端面に沿って径方向へ延在して平面整流子を形成する回転電機の電機子において、整流子部分を含む電機子コイルの発熱の抑制をその第一の目的とし、更に、上記コイルエンド部及びコイルエンド部に連なる電機子コイル辺やコイルエンド部に摺接するブラシの冷却性の向上と、電機子コア部分の外径を変えずに軸方向長を変えて出力を異ならせた電機子を同一の製造装置で容易に製造可能にした電機子を供給できるようにすることをその目的としている。
【０００９】
【課題を解決するための手段】
請求項１記載の整流子型回転電機によれば、電機子コイルが電機子鉄心の端面に沿ってその電機子コイル辺の端部から径内側（回転軸へ向かう方向）へ延設される径方向延在型コイルエンド部を有する整流子型回転電機において、上層コイルエンド部の軸方向外端面を整流子面としてブラシを摺接させるとともに、整流子部である上層コイルエンド部の最外径、及び整流子面に配置されたブラシの摺接面の最外径が、上層コイル辺の最外径よりも径外側になるようにして、整流子面のブラシ摺接面積を増加させて電流密度を低減し、ブラシ摺接部での発熱量を抑えている。
【００１０】
すなわち、本構成によれば、電機子鉄心の端面に沿ってコイルエンド部が延設され、その軸方向外端面にブラシを摺接しているにもかかわらず、整流子面での発熱を抑えることができるとともに、コイルエンド部分が外径側に拡がっていて空気に触れる表面積が増加しているので熱を良好に逃がすことができ、コイルエンド自体やコイルエンドに連なるコイル辺及びコイルエンドに摺接するブラシの温度上昇の抑制ができて、電機子コイルの熱膨張による整流子面の平面度の低下や電機子コイルの電気絶縁性の劣化を防止することができる。
【００１１】
また、電機子の主要部分である電機子コア部分の外径を同一にして、軸方向長だけ異ならせた出力仕様の異なる電機子を設定してもコイルエンド部分の外径の変更のみでブラシ摺接面積を各仕様に応じて設定できるので、同一の製造装置で生産することも容易になる。
【００１２】
【発明の実施の形態】
本発明の好適な態様を以下の実施例を参照して説明する。
（実施例１）
本発明のコイルエンド整流型電機子コイルを有する整流子型回転電機の一例を図面を参照して説明する。図１はその軸方向断面図であり、図２はその整流子片をなす外側コイルエンド部の径方向正面図である。
【００１３】
回転軸１０のほぼ中央部には円板状の鋼板１５を複数積層して形成した電機子鉄心（コア）１１が嵌装されており、電機子鉄心１１の外周面には複数のスロット１３が形成され、その内部には上側導体（スロット導体部）２０ｅ、下側導体（スロット導体部）２１ｅが上下二段に嵌装されている。回転軸１０の両端は、電動機のエンドフレーム６０に取り付けた軸受け６１と図示しない部材に取り付けた軸受け６２とにより支承され、金属製のエンドフレーム６０は、円筒鋼板からなるヨーク（継鉄）７０の開口を遮蔽している。ヨーク７０の内周面には円筒状又は複数の円弧状の永久磁石型の界磁（界磁極）５１がカバー５２により固定されており、電機子鉄心１１の外周面に小ギャップを介して対面している。
【００１４】
１２は回転軸１０上に設けられたギヤで、図示されない減速機構部（例えば遊星歯車減速機構）のギヤと噛み合って回転軸１０の回転を前記図示されないギヤに伝える。エンドフレーム６０の所定部分には電気絶縁材からなるブラシホルダ８０が固定されており、その内側には高電圧側のブラシ８１が軸方向摺動自在に保持されている。また、エンドフレーム６０には上記ブラシホルダ８０から周方向へ所定角度隔ててブラシ保持穴８０ｂが形成されており、その内側には接地側のブラシ８１ｂが軸方向摺動自在に保持されている。高電圧側のブラシ８１はブラシホルダ８０内に設けられたスプリング８２によって外側コイルエンド部（コイルエンド部）２０ｂに押接されている。接地側のブラシ８１ｂもブラシ保持穴８０ｂ内に設けられたスプリング８２ｂによって外側コイルエンド部２０ｂに押接されている。
【００１５】
上側導体２０ｅの両端はそれぞれ径内側へ配設される外側コイルエンド部２０ｂ、２０ｄと一体化されており、同様に、下側導体２１ｅの両端はそれぞれ径内側へ配設される内側コイルエンド部（コイルエンド部）２１ｂ、２１ｄと一体化されている。外側コイルエンド部２０ｂ、２０ｄ及び内側コイルエンド部２１ｂ、２１ｄの径内側の端部はそれぞれ軸方向反コア側へ延設されており、外側コイルエンド部２０ｂの径内側端部は内側コイルエンド部２１ｂの径内側の端部に例えばレーザー溶接などで接合され、外側コイルエンド部２０ｄの径内側端部は内側コイルエンド部２１ｄの径内側の端部に例えばレーザー溶接などで接合されている。上側導体２０ｅ、外側コイルエンド部２０ｂ、２０ｄは第１の電機子コイル部２０を構成し、下側導体２１ｅ、内側コイルエンド部２１ｂ、２１ｄは第２の電機子コイル部２１を構成し、これら電機子コイル部２０、２１により電機子コイルが構成されている。上側導体２０ｅと外側コイルエンド部２０ｂ、２０ｄとは銅等の材料で冷間鍛造等により一体成形されることができ、下側導体２１ｅと内側コイルエンド部２１ｂ、２１ｄとは銅等の材料で冷間鍛造等により一体成形されることができる。
【００１６】
本実施例において重要な点は、外側コイルエンド部２０ｂが整流子片を兼ねるとともに、外側コイルエンド部２０ｂの径方向外端から外側導体上側導体２０ｅの径方向外端面よりも径外側へ径外突出部２０ｆを延設した点と、その延設部分にもブラシ８１、８１ｂが摺接するように配設されている点である。
外側コイルエンド部２０ｂと内側コイルエンド部２１ｂとの間には円板状の樹脂絶縁板２３が挟設され、外側コイルエンド部２０ｄと内側コイルエンド部２１ｄとの間には円板状の樹脂絶縁板２２が挟設され、電機子鉄心１１の両端面と内側コイルエンド部２１ｂ、２１ｄとの間にも同様に円板状の樹脂絶縁板が挟設されている。
【００１７】
それぞれ整流子片を兼ねる各外側コイルエンド部２０ｂの配設状態を図２に示す。
各外側コイルエンド部２０ｂ、２０ｄは径大となるに従い時計回転方向へ湾曲し、図２では図示しない各内側コイルエンド部２１ｂ、２１ｄは径大となるに従い反時計回転方向へ湾曲している。互いに隣接する外側コイルエンド部２０ｂの間にはほぼ一定幅の溝（アンダカット）２０ｘが形成されており、この溝２０ｘは一種の遠心ファンのブレード間の空気通路として機能する。また、図２における破線は電機子鉄心１１（図２では図示せず）の外周を示す。
【００１８】
上述した外側コイルエンド部２０ｂ、２０ｄの軸方向反コア側への延在部分には回転軸１０に固着されたカラー２５が薄い絶縁部材２４を介してそれぞれ嵌着され、外側コイルエンド部２０ｂ、２０ｄや内側コイルエンド部２１ｂ、２１ｄなどにかかる遠心力によってこれらコイルエンド部２０ｂ、２０ｄ、２１ｂ、２１ｄが軸方向や径方向に拡がらないように規制している。
【００１９】
この電機子コイルの組付方法については上記公報と同じとすることができる。この電機子コイルの組立において重要な点は、上側導体２０ｅと外側コイルエンド部２０ｂ、２０ｄとの接合、下側導体２１ｅと内側コイルエンド部２１ｂ、２１ｄとの接合であるが、これらは冷間鍛造、レーザー溶接、ＴＩＧ溶接、ろう付けなどの各種の接合方法を採用することができる。また、スロット１３をオープンスロットとすれば、上側導体２０ｅと外側コイルエンド部２０ｂ、２０ｄとからなる第１の電機子コイル部２０を銅板打ち抜き後、屈折して形成することもできる。
【００２０】
本実施例の電機子コイルによれば、図１に示すように、外側コイルエンド部２０ｂの径外突出部２０ｆの径Ｄ１とブラシ８１、８１ｂの摺接部の外径Ｄ３が上側導体２０ｅの径Ｄ２より所定寸法だけ大きく形成されているので、ブラシ摺接部の面積が広く確保でき電流密度が抑えられるのでこの部分の発熱が抑止できる。また、径外突出部２０ｆ自体が外気にさらされているので回転により周囲の空気に触れて冷却され、これに連なる外側コイルエンド部２０ｂや上側導体２０ｅ、ブラシ８１、８１ｂもこれにつれて良好に冷却される。従って、ブラシ摺接面近傍における発熱低減と冷却効果の向上を図ることができ、ブラシ寿命を格段に向上することができる。また、径外突出部２０ｆが外側コイルエンド部２０ｂを延設するだけで形成できるので、製造が容易であり、耐遠心強度も良好になる。
（実施例２）
他の実施例を図３を参照して説明する。
【００２１】
この整流子型回転電機は、図１に示す実施例１のものにおいて、外側コイルエンド部２０ｂを、上側導体２０ｅから径内側へ延在するインナ部２００と、インナ部２００の軸方向反コア側の表面に接合されるアウタ部２０１とで構成し、このアウタ部２０１の径外側の端部を径外突出部２０ｆとしたものである。
このようにすれば、インナ部２００を上側導体２０ｅと一体に形成しても、容易に径外突出部２０ｆを径外方向へ突出させることが可能となる他、径外突出部２０ｆの耐磨耗性を例えば不純物の添加などにより高導電性のインナ部２００や上側導体２０ｅのそれより向上することができ、整流子片寿命を向上することができる。
（実施例３）
他の実施例を図４を参照して説明する。
【００２２】
この整流子型回転電機は、図１に示す実施例１のヨーク７０の外周面に空気吸い込み口１０１及び空気吹き出し口１０２を設けるとともに、エンドフレーム６０にも空気吸い込み口１０３を設けたものである。なお、径外突出部２０ｆのコア側の表面は永久磁石界磁５１の軸方向端面を覆うカバー５２に小さいギャップｇ１を介して対面している。
【００２３】
したがって、いま径外突出部２０ｆが高速回転すると、このギャップｇ１において遠心空気流が形成されて空気吹き出し口１０２から吹き出される。そして、この遠心空気流が流れる分だけ空気吸い込み口１０１から冷却空気流が流入し、流入した冷却空気流が永久磁石界磁５１の内周面と電機子鉄心１１の外周面との間の隙間や、隣接する永久磁石界磁５１間の隙間を軸方向へ流れ、上側導体２０ｅを冷却する。同様に、外側コイルエンド部２０ｂ（図１参照）により反コア側に形成された遠心空気流も空気吹き出し口１０２から吹き出される。そして、この遠心空気流が流れる分だけ、空気吸い込み口１０３から空気が流入し、ブラシ摺接面やブラシ８１、８１ｂが冷却される。
（実施例４）
次に、図５及び図６に基づいて、実施例４を説明する。
【００２４】
上側導体（上層コイル辺）２０ｅの一端２０ｅ１と、上側コイルエンド部２０ｂの一端２０ｂ１との間には、内径側から外径側に突出するクランク形状の屈曲部２０ｈが一体に設けられている。また、この屈曲部２０ｈの内周側には凹部２０ｉが形成されている。
また、図６に示すように、上側コイルエンド部２０ｂと下側コイルエンド部２１ｂとの間には、樹脂絶縁板２３が挟まれており、この樹脂絶縁板２３の外周には、屈曲部２０ｈの凹部２０ｉに係合するための、凹部２３ａが等間隔に形成されている。さらに、この凹部２３ａの幅は、屈曲部２０ｈの周方向の幅と実質的に同じとなっており、屈曲部２０ｈの周方向の移動を防止している。
【００２５】
なお、この樹脂絶縁板２３の凹部２３ａは形成することなく、単に円盤状に形成されていてもよい。
そして、上側導体２０ｅ、上側コイルエンド部２０ｂ及び屈曲部２０ｈは、直線状のコイルをプレス加工により、容易に形成できる。また、屈曲部２０ｈの内側の凹部２０ｉに、樹脂絶縁板２３の凹部２３ａを嵌着することにより、ブラシ８１が摺動する整流子となる外側コイルエンド部２０ｂが樹脂絶縁板２３の平面が基準となって整列させることができる。よって、電機子コイルの温度変化に伴う熱膨張、収縮に対して、整流子面の平滑度が狂いにくいという効果がある。
【００２６】
なお、上記実施例では永久磁石界磁式の直流電動機について説明しているが、本発明はこれに限らず界磁コイル式直流電動機、さらには他の交流式整流子電動機にも適用し得ることは明らかである。
また、上記実施例では、電機子鉄心１１の軸方向反ブラシ側の端面から突出する外側コイルエンド部２０ｄ、内側コイルエンド部２１ｄも、反対側の外側コイルエンド部２０ｂ、内側コイルエンド部２１ｂと同様に、径内側へ屈曲する形状にしたが、整流子片を兼ねる外側コイルエンド部２０ｂだけをこのような屈曲形状とし、反ブラシ側のコイルエンド部は従来のコイルエンド部と同様に軸方向へ膨らみを持たせて湾曲させ、所定のスロットピッチ隔てたスロット内のコイル導体に接続する構成としてもよい。この場合でも径外突出部２０ｆによる放熱性の向上、抵抗損失及び発熱の低減という効果を確保できることはもちろんである。
【００２７】
更に、上記実施例では、ブラシ８１、８１ｂが摺接する外側コイルエンド部２０ｂ側だけを電機子鉄心１１より径外側へ突出する径外突出部２０ｆを設ける構成としたが、反ブラシ側の外側コイルエンド部２０ｄにも同様に径外突出部を設けることができることはもちろんである。このようにすれば、電機子コイル２０、２１の冷却効果を一層良好とすることができる。また、両側の外側コイルエンド部２０ｂ、２０ｄの両方を整流子片として用いるようにしてブラシを接触させれば、一層の抵抗損失及び発熱の低減を実現できる。これらブラシを外側コイルエンド部２０ｂ、２０ｄの径外突出部２０ｆに摺接させれば、一層のブラシ摺接面積の増大を図ることができる。更に、上記実施例では、径外突出部２０ｆによる遠心空気流れの形成を利用して電機子鉄心１１の反ブラシ側からブラシ側へ空気を流す構成としたが、外側コイルエンド部２０ｂの遠心ファン効果を利用して反ブラシ側でも遠心空気流を形成して遠心方向へ冷却空気を流すように構成してもよい。
【図面の簡単な説明】
【図１】本発明の実施例１を示す整流子型回転電機の軸方向断面図である。
【図２】図１の整流子をなす外側コイルエンド部の径方向正面図である。
【図３】本発明の実施例２を示す整流子型回転電機の軸方向断面図である。
【図４】本発明の実施例３を示す整流子型回転電機の軸方向断面図である。
【図５】本発明の実施例４を示す整流子型回転電機の軸方向断面図である。
【図６】上記実施例４の要部を示す斜視図である。
【符号の説明】
２  電機子コイル
３  トルク伝達部材
１０  回転軸
１１  電機子鉄心（コア）
２０  第１の電機子コイル部
２０ｅ  上側導体（スロット導体部）
２０ｂ、２０ｄ  外側コイルエンド部（コイルエンド部）
２０ｆ、２０ｇ  径外突出部
２０ｈ  屈曲部
２０ｉ  凹部
２１  第２の電機子コイル部
２１ｅ  下側導体（スロット導体部）
２１ｂ、２１ｄ  内側コイルエンド部（コイルエンド部）
２３  樹脂絶縁板
２３ａ  凹部
５１  界磁極
７０  ヨーク（継鉄）
【図１】
0003921802.tif 000002
【図２】
0003921802.tif 000003
【図３】
0003921802.tif 000004
【図４】
0003921802.tif 000005
【図５】
0003921802.tif 000006
【図６】
0003921802.tif 000007